(57)【要約】【課題】  本発明の目的は、高い排ガス浄化性能を示す排ガス浄化システムを提供することである。【解決手段】  本発明は、酸化アルミニウムを含む担体と、前記担体に設けられガリウムを含む触媒を備え、内燃機関と繋がる排ガス浄化装置と、前記排ガス浄化装置と接続され、酸素濃度を高めるシステムと、を有する排ガス浄化システムにおいて、前記酸素濃度を高めるシステムは、前記内燃機関の燃焼後ガスの酸素濃度よりも高い酸素濃度にすることを特徴としてなるものである。【選択図】  図７
2018168752.tif 000002
【特許請求の範囲】
【請求項１】
酸化アルミニウムを含む担体と、前記担体に設けられガリウムを含む触媒を備え、内燃機関と繋がる排ガス浄化装置と、前記排ガス浄化装置と接続され、酸素濃度を高めるシステムと、を有する排ガス浄化システムにおいて、
前記酸素濃度を高めるシステムは、前記内燃機関の燃焼後ガスの酸素濃度よりも高い酸素濃度にすることを特徴とする排ガス浄化システム。
【請求項２】
請求項１に記載の排ガス浄化システムにおいて、
前記触媒に更にロジウムを含むことを特徴とする排ガス浄化システム。
【請求項３】
請求項１又は請求項２に記載の排ガス浄化システムにおいて、
前記酸素濃度を高めるシステムは、前記触媒に流入するガスの酸素濃度を０．５％以上とすることを特徴とする排ガス浄化システム。
【請求項４】
請求項１乃至請求項３のいずれかに記載の排ガス浄化システムおいて、
前記酸素濃度を高めるシステムは、内燃機関から排出される排ガスとは別に酸素を含むガスを前記触媒に供給することを特徴とする排ガス浄化システム。
【請求項５】
請求項４に記載の排ガス浄化システムにおいて、
前記酸素濃度を高めるシステムは、過給機を有することを特徴とする排ガス浄化システム。
【請求項６】
請求項１乃至３の何れかに記載の排ガス浄化システムにおいて、
前記内燃機関は、燃料を燃焼させない少なくとも一つの気筒を有することを特徴とする排ガス浄化システム。
【請求項７】
請求項１乃至３の何れかに記載の排ガス浄化システムにおいて、
前記内燃機関は、燃焼行程の後に空気を流通させて吸気を行う吸気行程と、当該吸気行程の直後に排気行程を有することを特徴とする排ガス浄化システム。
【請求項８】
請求項１乃至３の何れかに記載の排ガス浄化システムにおいて、
前記酸素濃度を高めるシステムは、酸素貯蔵材料を有することを特徴とする排ガス浄化システム。
【請求項９】
請求項１乃至８の何れかに記載の排ガス浄化システムにおいて、
前記排ガス浄化装置に、オゾンを添加する装置を有することを特徴とする排ガス浄化システム。
【請求項１０】
請求項１乃至９の何れかに記載の排ガス浄化システムにおいて、
更に前記内燃機関の燃焼後ガスの温度を制御する装置を有することを特徴とする排ガス浄化システム。
【発明の詳細な説明】
【技術分野】
【０００１】
本発明は、理論空燃比よりも燃料が希薄なリーンバーン状態で運転される内燃機関において、リーンバーン排ガスに含まれるＮＯｘを浄化するのに好適な新規排ガス浄化システムに関する。
【背景技術】
【０００２】
近年、空燃比を燃料希薄とするリーンバーンエンジンが注目されている。ここで空燃比とはガス中の空気と燃料の比を表す。リーンバーンエンジンの排ガスは、理論空燃比（ストイキ）用エンジンの排ガス浄化に従来使用されてきた三元触媒ではＮＯｘを浄化することが難しい。このため、リーンバーンエンジン用の排ガス浄化触媒が検討されている。
【０００３】
リーンバーンエンジン用の排ガス浄化触媒として、金属酸化物担体にガリウムを担持した触媒が酸素過剰雰囲気下でもＮＯｘ浄化性能を有することが知られている。
【０００４】
特許文献１には、ガリウムと耐火性酸化物（アルミナ、チタニア、マグネシア、ジルコニア等）を含む触媒を用いると、酸化雰囲気中でＮＯｘを還元除去可能であることが記載されている。
【０００５】
特許文献２では、ロジウムとアルミニウムとを含み、ガリウム、ジルコニウムのうちの１以上を含む触媒を用いることで、ＳＯｘに対する耐久性を向上させている。
【０００６】
また、リーンバーンエンジンでは、空燃比をより燃料希薄とする、つまり空気の割合を増やし酸素濃度を高めることで燃費が向上する。そのため、酸素濃度を高めてもＮＯｘ浄化性能を維持可能な排ガス浄化触媒が要求されている。
【先行技術文献】
【特許文献】
【０００７】
【特許文献１】特開平７−１７８３３８
【特許文献２】特開２００１−１７０４８８
【発明の概要】
【発明が解決しようとする課題】
【０００８】
特許文献１及び特許文献２では、酸素過剰雰囲気下でのＮＯｘ浄化性能について記載しているが、酸素濃度が変動した場合の影響については検討されておらず、触媒性能への影響は不明である。
【０００９】
本発明の目的は、排ガス浄化触媒に流入する酸素濃度を高めるシステムを備えることにより、触媒の排ガス浄化性能を向上させること、及び高い排ガス浄化性能を安定して保持することである。
【課題を解決するための手段】
【００１０】
上記目的を達成するために、本発明は、酸化アルミニウムを含む担体と、前記担体に設けられガリウムを含む触媒を備え、内燃機関と繋がる排ガス浄化装置と、前記排ガス浄化装置と接続され、酸素濃度を高めるシステムと、を有する排ガス浄化システムにおいて、前記酸素濃度を高めるシステムは、前記内燃機関の燃焼後ガスの酸素濃度よりも高い酸素濃度にすることを特徴としている。
【発明の効果】
【００１１】
本発明によれば、内燃機関の燃焼後ガスの酸素濃度に関わらず、有害物質、特にＮＯｘを高効率で浄化することができる。
【図面の簡単な説明】
【００１２】
【図１】排ガス浄化触媒表面上での担体と触媒活性成分の状態を表した図である。
【図２】エンジンシステムの一例を表した図である。
【図３】燃焼後ガス及び空気を排出する気筒の排気行程を同時にしたエンジンシステムにおける、各行程と吸気及び排気時期の関係の一例を表した図である。
【図４】空気を排出する気筒の吸気、排気行程を１サイクルにつき２回ずつにしたエンジンシステムにおける、各行程と吸気及び排気時期の関係の一例を表した図である。
【図５】１サイクルを６行程としたエンジンシステムにおける、各行程と吸気及び排気時期の関係の一例を表した図である。
【図６】酸素濃度を高める装置を備えたエンジンシステムの一例を表した図である。
【図７】酸素濃度と触媒のＮＯｘ浄化活性との関係を示したグラフである。
【図８】酸素濃度と触媒のＣ３Ｈ６浄化活性との関係を示したグラフである。
【発明を実施するための形態】
【００１３】
図１は本発明における排ガス浄化触媒１１の構造を示す概念図である。
【００１４】
排ガス浄化触媒１１は、ハニカム構造の基材４に酸化アルミニウム（Ａｌ２Ｏ３）を含んだ担体３をコートし、担体３に少なくともガリウム（Ｇａ）を含む第一の触媒１を担持したものを用いることができる。更に、少なくともロジウム（Ｒｈ）を含む第二の触媒２を担持しても良い。
【００１５】
以下に詳細を記すが、本発明における排ガス浄化触媒１１に流入する排ガスの酸素（Ｏ２）濃度を高めることで排ガスを高度に浄化できる。
【００１６】
排ガス浄化触媒１１によるＮＯｘ浄化反応は次のメカニズムで進行すると考えている。まず、第一の触媒１及び第二の触媒２にＮＯ及び還元剤である炭化水素が吸着する。ＮＯは式（１）のようにＯ２によってＮＯ２に酸化されてから式（２）のように炭化水素と反応し、Ｎ２、ＣＯ２、Ｈ２Ｏとして脱離する。しかし、リーン状態では排ガス中にＯ２が多量に含まれるため、式（３）のようにＯ２による炭化水素の酸化（燃焼反応）も同時に進行する。
【００１７】
（１）ＮＯ＋Ｏ２  →  ＮＯ２    …式（１）
（２）ＮＯ２＋炭化水素  →  Ｎ２＋ＣＯ２＋Ｈ２Ｏ    …式（２）
（３）炭化水素＋Ｏ２  →  ＣＯ２＋Ｈ２Ｏ    …式（３）
したがって、式（２）の反応よりも式（３）の反応を促進させれば、ＮＯｘの浄化率を高くすることができると考えられる。そのためには、式（１）の反応を促進することが重要である。
【００１８】
式（３）よりも優先的に式（１）の反応を促進するためには、第一の触媒１にＧａを含むことが好ましい。また、第一の触媒元素量は、担体３に含まれるＡｌ２Ｏ３に対して０．５〜２０重量％の範囲にあることが好ましい。（ここで重量％とは、各成分のｇ換算での含有比率を表したものであり、例えばＡ成分に対してＢ成分の担持量が０．５重量％ということは、Ａ成分の絶対量の多少に関わらず、ｇ換算でＡが１００に対しＢが０．５の割合で担持されていることを意味する。）
第一の触媒元素量が０．５重量％よりも少ない場合、式（１）及び式（２）の反応が進行しにくく、ＮＯｘが充分に浄化されない可能性がある。２０重量％より多くても、第一の触媒元素の表面露出量が低下する、もしくは第一の触媒元素による第二の触媒元素の被覆が生じ、触媒活性が充分に発現しない可能性がある。
【００１９】
第二の触媒元素量は、担体３に含まれるＡｌ２Ｏ３に対して２重量％以下にすることが好ましい。２重量％よりも多い場合、式（３）が式（２）より優先的に進行してしまい、ＮＯｘが充分に浄化されない可能性がある。
【００２０】
また、排ガス浄化触媒１１の一部でも、担体３に含まれるＡｌ２Ｏ３に対して第一の触媒元素量が０．５〜２０重量％、第二の触媒元素量が２重量％以下となる部分が存在すると、上記効果を効率的に発現させることができる。例えば触媒の形態例として、次の(1)、(2)の場合が考えられる。(1)基材４の上に第一の触媒１及び第二の触媒２を含まない層として板状もしくは粒状のＡｌ２Ｏ３があり、更にその上に第一の触媒１及び第二の触媒２を含む担体３が存在する。(2)第一の触媒１及び第二の触媒２を含まない粒状Ａｌ２Ｏ３の表面上に第一の触媒１及び第二の触媒２を含む担体３が存在する。(1)、(2)のいずれの場合においても、第一の触媒１及び第二の触媒２を含む担体３に含有されているＡｌ２Ｏ３に対し、第一の触媒元素量が０．５〜２０重量％、第二の触媒元素量が２重量％以下となる部分が存在することが好ましい。
【００２１】
第一の触媒１及び第二の触媒２は、Ａｌ２Ｏ３を含む担体３と接触していることが好ましく、Ａｌ２Ｏ３を含む担体３の表面に第一の触媒１と、第二の触媒２が設けられた状態が好ましい。
【００２２】
第二の触媒元素としては、Ｒｈの他に、Ｃｅ、Ｔｉ、Ｖ、Ｃｒ、Ｍｎ、Ｆｅ、Ｃｏ、Ｎｉ、Ｃｕ、Ｚｎ、Ｚｒ、Ｍｏ、Ｒｕ、Ｐｄ、Ａｇ、Ｃｅ、Ｗ、Ｉｒ、Ａｕ等の金属を用いることができる。一方、Ｐｔを用いるとＮＯｘがＮ２Ｏに転化する可能性があり、実質的なＮＯｘ浄化率が低下する場合がある。
【００２３】
触媒活性成分としては、Ｇａ及びＲｈに加えて更に他の遷移金属を添加することもできる。他の遷移金属としては、特にＦｅ、Ｃｏ、Ｎｉ、Ｐｄ、Ａｇ、Ａｕ等が好適である。これらの金属はＮＯのＮＯ２への酸化や炭化水素の吸着を促進するため、排ガス浄化性能を向上することができる。
【００２４】
担体３は触媒活性成分の分散性を高める役割をするものと考えられる。担体３は基材４上に担持しても良く、その場合１Ｌの基材４に対し担体３の担持量を３０ｇ以上４００ｇ以下とすると排ガス浄化性能にとって好ましい。担体３の担持量が３０ｇより少ないと担体３の効果は不十分となり、４００ｇより多いと担体３自体の比表面積が低下するため好ましくない。
【００２５】
担体３はＡｌ２Ｏ３を含むが、Ａｌ２Ｏ３の比表面積を１００〜３００ｍ２／ｇとすると排ガス浄化性能にとって好ましい。また、Ａｌ２Ｏ３の粒径を１〜２５μｍとすると排ガス浄化性能にとって好ましい。
【００２６】
担体３としては、Ａｌ２Ｏ３が最も好ましいが、他にＴｉＯ２、ＳｉＯ２、ＳｉＯ２−Ａｌ２Ｏ３、ＺｒＯ２、ＭｇＯ、ＣｏＯ、ＮｉＯ、ＣｕＯ等の金属酸化物や複合酸化物等を用いることもできる。Ａｌ２Ｏ３が最も好ましい理由としては、Ｇａを含む第一の触媒１を担持することでＧａ−Ｏ−Ａｌを形成し、これが触媒活性点となるためと考えている。また、上記の担体３にβ−ゼオライト、モルデナイト、フェリエライト、Ｙ型ゼオライト等のゼオライトを添加して用いることができる。
【００２７】
排ガス浄化触媒１１は、ハニカム構造等の基材４に担体３をコーティングした後に触媒活性成分を担持しても、触媒活性成分を担持した担体３を基材４にコーティングしても良い。基材４はコ−ジェライトが最適であるが、金属製のものを用いても良好な結果を得ることができる。
【００２８】
排ガス浄化触媒１１の形状は、用途に応じ各種の形状で適用できる。コージェライト、ステンレス等の各種材料からなるハニカム構造体に各種成分を担持した触媒粉末をコーティングして得られるハニカム形状を始めとし、ペレット状、板状、粒状、粉末状等として適用できる。
【００２９】
排ガス浄化触媒１１の調製方法は、含浸法、混練法、共沈法、ゾルゲル法、イオン交換法、蒸着法等の物理的調製方法や化学反応を利用した調製方法等いずれも適用可能である。排ガス浄化触媒１１の出発原料としては、硝酸化合物、酢酸化合物、錯体化合物、水酸化物、炭酸化合物、有機化合物などの種々の化合物や金属及び金属酸化物を用いることができる。
【００３０】
図２は、排ガス浄化触媒１１を備えたエンジンシステムの一例を表した図である。エンジンには、吸入空気量を計測するエアフローセンサ１２と、吸気を過給するための過給機１３のコンプレッサ１３ａと、吸気を冷却するためのインタークーラ１４と、吸気管１５内の圧力を調整する電子制御スロットル１６と、吸気管１５内の圧力を計測する吸気圧力センサ１７を設けた吸気管１５が備えられている。
【００３１】
また、エンジンには、燃料噴射装置（以下、インジェクタ）１９と、噴射された燃料と空気の混合気を圧縮するためのピストン２０、点火エネルギーを供給する点火プラグ２１が気筒ごとに備えられている。燃料は各気筒のシリンダ１８内に噴射されても、吸気管１５内に噴射されても良いが、図２はシリンダ１８内への燃料噴射を想定した図である。
【００３２】
また、筒内に流入、または筒内から排出するガスを調整するバルブタイミング機構２２が、シリンダヘッドに設けられている。バルブタイミング機構２２により、全気筒の吸気バルブ２３及び排気バルブ２４の開弁、閉弁時期を調整することで、吸気量及び内部ＥＧＲ量を調整できる。バルブタイミング機構２２としては、可変バルブタイミング機構や、可変バルブリフト機構、カムシャフト切替え機構などを用いることもできる。
【００３３】
また、高圧燃料を供給するための高圧燃料ポンプが燃料配管によってインジェクタ１９と接続されており、燃料配管中には、燃料噴射圧力を計測するための燃料圧力センサが備えられている。
【００３４】
更に、排気エネルギーによって過給機１３のコンプレッサ１３ａに回転力を与えるためのタービン１３ｂと、タービン１３ｂに流れる排気流量を調整するための電子制御ウェイストゲート弁２５と、排気を浄化する排ガス浄化触媒１１と、空燃比検出器の一態様であって、排ガス浄化触媒１１の上流側にて排気の空燃比を検出する空燃比センサ２６と、が排気管２７に設けられている。また、クランク軸には、回転角度を算出するためのクランク角度センサが備えられている。
【００３５】
エンジンには、排ガス浄化触媒１１の下流から、コンプレッサ１３ａの上流に排気を還流させるためのＥＧＲ管３０を備えていても良い。ＥＧＲ管３０には、ＥＧＲを冷却するためのＥＧＲクーラ３１、ＥＧＲ流量を制御するためのＥＧＲ弁３２、ＥＧＲ弁前後の差圧を検出する差圧センサ３３、ＥＧＲ温度を検出するＥＧＲ温度センサ３４が、各々の適宜位置に取りつけられている。
【００３６】
エアフローセンサ１２と空燃比センサ２６と吸気圧力センサ１７と差圧センサ３３とＥＧＲ温度センサ３４から得られる信号は、エンジンコントロールユニット（ＥＣＵ）２８に送られる。また、アクセル開度センサ２９から得られる信号もＥＣＵ２８に送られる。アクセル開度センサ２９は、アクセルペダルの踏み込み量、すなわち、アクセル開度を検出する。ＥＣＵ２８は、アクセル開度センサ２９の出力信号に基づいて、要求トルクを演算する。すなわち、アクセル開度センサ２９は、エンジンへの要求トルクを検出する要求トルク検出センサとして用いられる。また、ＥＣＵ２８は、クランク角度センサの出力信号に基づいて、エンジンの回転速度を演算する。ＥＣＵ２８は、上記各種センサの出力から得られるエンジンの運転状態に基づき、空気流量、燃料噴射量、点火時期、燃料圧力等のエンジンの主要な作動量を最適に演算する。
【００３７】
ＥＣＵ２８で演算された燃料噴射量は開弁パルス信号に変換され、インジェクタ１９に送られる。また、ＥＣＵ２８で演算された点火時期で点火されるように、点火信号が点火プラグ２１に送られる。また、ＥＣＵ２８で演算されたスロットル開度は、スロットル駆動信号として電子制御スロットル１６に送られる。また、ＥＣＵ２８で演算されたバルブタイミングの作動量は、バルブタイミング駆動信号としてバルブタイミング機構２２へ送られる。また、ＥＣＵ２８で演算されたウェイストゲート弁開度は、ウェイストゲート弁駆動信号としてウェイストゲート弁２５へ送られる。また、ＥＣＵ２８で常時演算されるＥＧＲ弁開度は、ＥＧＲ弁開度駆動信号としてＥＧＲ弁３２へ送られる。
【００３８】
吸気管１５から吸気バルブ２３を経てシリンダ１８内に流入した空気に対し、燃料が噴射され混合気を形成する。混合気は、所定の点火時期で点火プラグ２１から発生される火花により燃焼し、その燃焼圧によりピストン２０を押し下げてエンジンの駆動力となる。更に、燃焼後ガス４１は排気管２７を経て排ガス浄化触媒１１に送りこまれた後、排ガス浄化触媒１１内で浄化され外部へと排出される。
【００３９】
本発明の排ガス浄化触媒１１は、理論空燃比（ストイキ）用エンジンの排ガス浄化にも、理論空燃比よりも希薄な空燃比（１４．７以上）で運転を行うリーンバーンエンジンの排ガス浄化にも用いることができる。また、排ガス浄化触媒１１及び三元触媒を組み合わせて用いても良い。
【００４０】
本発明の排ガス浄化触媒１１の排ガス浄化活性を向上するには、式（１）の反応を促進すれば良く、そのためには排ガス浄化触媒１１に流入する排ガス（以下、触媒流入ガス４２）のＯ２濃度を高めることが好ましい。
【００４１】
以下に、触媒流入ガス４２のＯ２濃度を高めるための方法例を示す。
【００４２】
触媒流入ガス４２のＯ２濃度としては、排ガス全体に対して０．５体積％以上とすると排ガス浄化性能にとって好ましい。Ｏ２濃度が０．５体積％より少ないと式（１）の反応が進行しにくく、式（２）によりＮＯｘが充分に浄化されない可能性がある。
【００４３】
触媒流入ガス４２のＯ２濃度を高めるには、各気筒のシリンダ１８内に導入する燃料と空気の混合気のＯ２濃度を高める、もしくは触媒流入ガス４２のＯ２濃度を燃焼後ガス４１のＯ２濃度よりも高くすれば良い。
【００４４】
ＥＣＵ２８により、空気流量や燃料噴射量等を空燃比が高くなるように制御すれば、シリンダ１８内に導入する燃料と空気の混合気中の空気の割合、つまりＯ２濃度を高めることができる。そのため、空燃比が高くなる程、触媒流入ガス４２のＯ２濃度が高まる。
【００４５】
気筒が複数ある場合、一部の気筒のシリンダ１８内に燃料と空気の混合気の代わりに空気を導入すれば、本気筒に接続された排気管２７に空気が排出される。そのため、シリンダ１８内に燃料と空気を導入して燃焼させた気筒から排出される燃焼後ガス４１と、シリンダ１８内に空気を導入した気筒から排出される空気が排気管２７で混合され、燃焼後ガス４１のみよりも空気の割合が高い、つまりＯ２濃度の高いガスを触媒流入ガス４２として排ガス浄化触媒１１に供給することができる。
【００４６】
シリンダ１８内に空気を導入する際には、吸気バルブ２３及び排気バルブ２４を同時に開弁して空気を流通させても、吸気バルブ２３のみを開弁してシリンダ１８内に空気を導入した後に排気バルブ２４を開弁して排気管２７に空気を排出しても良い。
【００４７】
また、バルブタイミング機構２２として可変バルブタイミング機構を用いると、シリンダ１８内に燃料と空気の混合気を導入して燃焼させた気筒から排出される燃焼後ガス４２と、シリンダ１８内に空気を導入した気筒から排出される空気が、排気管２７へ同時に排出されるように調整することができる。そのため、燃焼後ガス４１と空気が混合されやすくなる。
【００４８】
図３は、燃焼後ガス及び空気を排出する気筒の排気行程を同時にした場合の、各行程と吸気及び排気時期の関係の一例を表した図である。気筒Ａのシリンダ１８内に燃料と空気の混合気を導入すると、排気行程において燃焼後ガス４１が排出される。この時、気筒Ｂの吸気及び排気時期を気筒Ｂ’のように変更し、シリンダ１８内に空気のみを導入すると、気筒Ａの排気行程で排出される燃焼後ガス４１と気筒Ｂ’の排気行程で排出される空気が、排気管２７へ同時に排出される。
【００４９】
図４は、空気を排出する気筒の吸気、排気行程を１サイクルにつき２回ずつにした場合の、各行程と吸気及び排気時期の関係の一例を表した図である。一部の気筒のシリンダ１８内に空気を導入し、吸気、圧縮、膨張、排気の４行程の代わりに吸気、排気の２行程を１サイクルで２回繰り返すと、２回の排気行程で排気管２７へ空気が排出される。２回の排気行程のうち１回は、シリンダ１８内に燃料と空気の混合気を導入して燃焼させた気筒の排気行程と同時になるため、燃焼後ガス４１と空気が排気管２７へ同時に排出される。
【００５０】
図５は、１サイクルを６行程とした場合の吸気及び排気のタイミングを表した図である。一部もしくは全部の気筒について、シリンダ１８内に燃料と空気の混合気を導入して吸気、圧縮、膨張、排気の４行程を行った後、シリンダ１８内に空気を導入して吸気、排気を行う６行程とすると、排気管２７に燃焼後ガス４１もしくは空気が排出される。この燃焼後ガス４１と空気が排気管２７内で混合されると、燃焼後ガス４１のみよりも空気の割合が高い、つまりＯ２濃度の高いガスを触媒流入ガス４２として排ガス浄化触媒１１に供給することができる。
【００５１】
図６は、図２で示したエンジンシステムに加えてＯ２濃度を高める装置を備えたエンジンシステムの一例を表した図である。排気管２７に排出された燃焼後ガス４１に対し、Ｏ２濃度増加装置４３を用いてＯ２を含むガスを添加することで、触媒流入ガス４２のＯ２濃度を燃焼後ガス４１のＯ２濃度よりも高めることができる。
【００５２】
Ｏ２濃度増加装置４３としては、二次空気導入装置を用いることができる。二次空気導入装置により排気管２７に空気を導入し、燃焼後ガス４１と混合させることで、燃焼後ガス４１のみよりも空気の割合が高い、つまりＯ２濃度の高いガスを触媒流入ガス４２として排ガス浄化触媒１１に供給することができる。排気管２７への空気の導入には過給機を用いても良く、過給機を用いると、排気管２７内の圧力が高い場合でも空気を導入することができる。
【００５３】
Ｏ２濃度増加装置４３にＯ２貯蔵材を備えると、Ｏ２濃度増加装置４３に流入したガスに含まれるＯ２を貯蔵することができる。Ｏ２貯蔵材がＯ２を貯蔵及び放出する温度を適切に制御すると、燃料カットの際にＯ２濃度増加装置４３へ流入する空気中のＯ２がＯ２貯蔵材に貯蔵され、排気管２７に排出された燃焼後ガス４１をＯ２貯蔵材へ流入させてＯ２貯蔵材の温度を上げることでＯ２が放出される。つまり、燃焼後ガス４１のみよりもＯ２濃度の高いガスを触媒流入ガス４２として排ガス浄化触媒１１に供給することができる。
【００５４】
触媒流入ガス４２のＯ２濃度を燃焼後ガス４１のＯ２濃度よりも高めるシステムに加えて、オゾナイザを用いることで、排ガス浄化触媒１１の排ガス浄化性能を更に向上させることができる。オゾナイザにＯ２を含むガスを流通させると、Ｏ２からオゾンが生成する。そのため、排ガス浄化触媒１１の前段にオゾナイザを設けることで、排ガス浄化触媒１１に流入する触媒流入ガス４２にオゾンが添加される。オゾンはＯ２よりも酸化力が強いため、式（１）に示したＯ２によるＮＯ酸化反応と比べてオゾンによるＮＯ酸化反応は進行しやすく、式（２）によりＮＯｘが浄化されやすくなる。オゾンの生成量を増加させるにはオゾナイザに流入するガスのＯ２濃度を高める必要があるが、その際はＯ２濃度を高める方法として上記で説明したいずれの手法を用いても良い。
【００５５】
上記で説明した触媒流入ガス４２のＯ２濃度を燃焼後ガス４１のＯ２濃度よりも高める方法は複数を組み合わせても良く、それにより触媒流入ガス４２のＯ２濃度を更に高めることができる。また、上記の説明ではＯ２を含むガスとして空気を用いているが、空気の代わりにＯ２を含む他のガスを用いた場合も、上記と同様の方法で、触媒流入ガス４２のＯ２濃度を燃焼後ガス４１のＯ２濃度よりも高めることができる。
【００５６】
Ｏ２濃度を高める方法に加えて、排ガス浄化触媒１１に流入する触媒流入ガス４２の温度を、排ガス浄化活性が最大となる温度に制御すると、ＮＯｘを始めとした排ガス成分を更に高度に浄化することができる。
【００５７】
上記で説明したＯ２濃度を高める方法を、エンジンからの排ガス成分が増加した時にのみ用いることもできる。この場合、エンジン出力の低下を抑制しつつ排ガス浄化活性を向上させることができる。あらかじめエンジンの運転条件に対する排ガス成分の排出量を確認しておき、ある運転条件において排ガス成分が増加したと判断した場合、Ｏ２濃度を高める方法を用いることができる。また、燃焼後ガス４１もしくは触媒流入ガス４２のＮＯｘ濃度を検出するＮＯｘセンサを備えることで、ＮＯｘ濃度の増加を検出した場合、Ｏ２濃度を高める方法を用いることができる。
【００５８】
以下、具体的な例で本発明を説明するが、本発明はこれらの実施例により制限されるものではない。
【００５９】
（実施例１）
Ａｌ２Ｏ３粉末及びＡｌ２Ｏ３の前駆体からなり硝酸酸性に調整したスラリーをコージェライト製ハニカム（４００セル／ｉｎｃ２）にコーティングした後、乾燥焼成して、ハニカムの見掛けの容積１リットルあたり１７０ｇのＡｌ２Ｏ３をコーティングしたＡｌ２Ｏ３コートハニカムを得た。該Ａｌ２Ｏ３コートハニカムに触媒成分として硝酸Ｇａ溶液を含浸した後、１２０℃で乾燥、続いて６００℃で１時間焼成した。
【００６０】
以上により、ハニカム１Ｌに対してＡｌ２Ｏ３が１７０ｇ、及びＡｌ２Ｏ３に対して元素換算でＧａ１０重量％を含有する実施例触媒１を得た。
【００６１】
得られた触媒に対して、次の条件で排ガス浄化性能試験を行った。容量６ｃｃのハニカム触媒を石英ガラス製反応管中に固定した。この反応管を電気炉中に導入し、反応管に導入されるガス温度が４００、４５０、５００℃となるように加熱制御した。反応管には、自動車のエンジンがリーンバーン運転を行っているときの排ガスを想定したモデルガスを、空間速度３００００ｈ−１で導入した。モデルガスの組成は、ＮＯｘ：１５０ｐｐｍ、Ｃ３Ｈ６：２５０ｐｐｍ、Ｏ２：０．５、３、５、１０、２０、２５、３０％、Ｈ２Ｏ：２．８％、Ｎ２：残差とした。この時、ＮＯｘ浄化率、Ｃ３Ｈ６浄化率を次式により算出した。
【００６２】
ＮＯｘ浄化率（％）＝（触媒に流入したＮＯｘ量−触媒から流出したＮＯｘ量）
÷触媒に流入したＮＯｘ量×１００    …式（４）
Ｃ３Ｈ６浄化率（％）＝（触媒に流入したＣ３Ｈ６量−触媒から流出したＣ３Ｈ６量）
÷触媒に流入したＣ３Ｈ６量×１００    …式（５）
【００６３】
（実施例２）
含浸成分として硝酸Ｇａ溶液に加えて硝酸Ｒｈ溶液を用いた以外は、実施例１と同様の操作により、Ａｌ２Ｏ３に対して元素換算でＧａ１０重量％、Ｒｈ０．６１重量％を含有する実施例触媒２を得た。得られた触媒に対して、実施例１と同様の方法で排ガス浄化性能試験を行った。
【００６４】
（比較例１）
含浸成分として硝酸Ｇａ溶液の代わりに硝酸Ｒｈ溶液を用いた以外は、実施例１と同様の操作により、Ａｌ２Ｏ３に対して元素換算でＲｈ０．６１重量％を含有する比較例触媒１を得た。得られた触媒に対して、実施例１と同様の方法で、モデルガスのＯ２濃度を３、１０％として排ガス浄化性能試験を行った。
【００６５】
（試験結果）
実施例触媒１、２及び比較例触媒１のＮＯｘ浄化率の結果を表１〜３及び図７に示す。実施例触媒１及び２に関しては、触媒流入ガスのＯ２濃度を増加させるとＮＯｘ浄化活性が高くなる。一方、比較例触媒１ではＯ２濃度を増加させると活性が低下する。以上の結果より、触媒活性成分としてＧａを含む実施例触媒１及び２では、Ｏ２濃度増加によりＮＯｘ浄化活性が向上することが分かる。この理由としては、Ｏ２によるＮＯからＮＯ２への酸化反応が促進され、Ｃ３Ｈ６によるＮＯ２の浄化反応が促進されたためと考えられる。
【００６６】
また、触媒流入ガスのＯ２濃度に加えて、触媒流入ガスの温度を実施例触媒１については５００℃、実施例触媒２については４００℃となるように制御すると、ＮＯｘ浄化活性が更に高くなる。
【００６７】
【表１】
2018168752.tif 000003
【００６８】
【表２】
2018168752.tif 000004
【００６９】
【表３】
2018168752.tif 000005
【００７０】
実施例触媒１及び２のＣ３Ｈ６浄化率の結果を表４、５及び図８に示す。表４、５及び図８から、触媒に流入するＯ２濃度を増加させるとＣ３Ｈ６浄化活性が高くなる。つまり、Ｏ２濃度を増加させると、ＮＯｘ浄化活性を向上させるだけではなく、Ｃ３Ｈ６浄化活性も向上させることが分かる。
【００７１】
【表４】
2018168752.tif 000006
【００７２】
【表５】
2018168752.tif 000007
【００７３】
（実施例３）
図２に示したエンジンシステムにおいて、ＥＣＵ２８により空燃比が高くなるように制御することで、シリンダ１８内に導入する燃料と空気の混合気中の空気の割合、つまりＯ２濃度を高めることができる。従って、本システムの排ガス浄化触媒１１に実施例触媒１を備えると、排ガス浄化活性が向上する。
【００７４】
（実施例４）
図２に示したエンジンシステムにおいて、吸気バルブ２３及び排気バルブ２４を同時に開弁して一部の気筒のシリンダ１８内に空気を導入し、排気管２７内で燃焼後ガス４１と空気を混合させることで、触媒流入ガス４２のＯ２濃度を高めることができる。従って、本システムの排ガス浄化触媒１１に実施例触媒１を備えると、排ガス浄化活性が向上する。
【００７５】
（実施例５）
図２に示したエンジンシステムにおいて、吸気バルブ２３のみを開弁してシリンダ１８内に空気を導入した後に排気バルブ２４を開弁して排気管２７に空気を排出し、排気管２７内で燃焼後ガス４１と空気を混合させることで、触媒流入ガス４２のＯ２濃度を高めることができる。従って、本システムの排ガス浄化触媒１１に実施例触媒１を備えると、排ガス浄化活性が向上する。
【００７６】
（実施例６）
図２及び３に示したエンジンシステムにおいて、シリンダ１８内に空気を導入する気筒Ｂの吸気及び排気時期を気筒Ｂ’のように変更することで、燃焼後ガス４１及び空気の排気管２７への排出を同時にすることができる。従って、排気管２７内で燃焼後ガス４１と空気が混合しやすくなり、触媒流入ガス４２のＯ２濃度を効率良く高めることができるため、本システムの排ガス浄化触媒１１に実施例触媒１を備えると、排ガス浄化活性が向上する。
【００７７】
（実施例７）
図２及び４に示したエンジンシステムにおいて、一部の気筒のシリンダ１８内に空気を導入し、吸気、圧縮、膨張、排気の４行程の代わりに吸気、排気の２行程を１サイクルに２回繰り返すことで、燃焼後ガス４１及び空気の排気管２７への排出を同時にすることができる。従って、排気管２７内で燃焼後ガス４１と空気が混合しやすくなり、触媒流入ガス４２のＯ２濃度を効率良く高めることができるため、本システムの排ガス浄化触媒１１に実施例触媒１を備えると、排ガス浄化活性が向上する。
【００７８】
（実施例８）
図２及び５に示したエンジンシステムにおいて、一部もしくは全部の気筒でシリンダ１８内に燃料と空気の混合気を導入して吸気、圧縮、膨張、排気の４行程を行った後、シリンダ１８内に空気を導入して吸気、排気を行う６行程とし、排気管２７内で燃焼後ガスと空気を混合させることで、触媒流入ガス４２のＯ２濃度を高めることができる。従って、本システムの排ガス浄化触媒１１に実施例触媒１を備えると、排ガス浄化活性が向上する。
【００７９】
（実施例９）
図２及び６に示したエンジンシステムにおいて、Ｏ２濃度増加装置４３として二次空気導入装置を用い、排気管２７に空気を導入して燃焼後ガス４１と混合させることで、触媒流入ガス４２のＯ２濃度を高めることができる。従って、本システムの排ガス浄化触媒１１に実施例触媒１を備えると、排ガス浄化活性が向上する。
【００８０】
（実施例１０）
実施例９において、過給機を用いることで、排気管２７内の圧力が高くても触媒流入ガス４２のＯ２濃度を高めることができる。
【００８１】
（実施例１１）
図２及び６に示したエンジンシステムにおいて、Ｏ２濃度増加装置４３にＯ２貯蔵材を備え、燃料カットの際にＯ２濃度増加装置４３へ流入する空気中のＯ２をＯ２貯蔵材に貯蔵し、燃焼後ガス４１が流入した際にＯ２貯蔵材からＯ２を放出することで、触媒流入ガス４２のＯ２濃度を高めることができる。従って、本システムの排ガス浄化触媒１１に実施例触媒１を備えると、排ガス浄化活性が向上する。
【００８２】
（実施例１２）
実施例４において、排ガス浄化触媒１１の前段にオゾナイザを設けると、Ｏ２からオゾンが生成し触媒流入ガス４２に添加されることに加え、触媒流入ガス４２のオゾン濃度を高めることができる。オゾンはＯ２よりも酸化力が強いため、排ガス浄化活性が更に向上する。
【００８３】
（実施例１３）
図２に示したエンジンシステムにおいて、排ガス浄化触媒１１に実施例触媒１を備え、触媒流入ガス４２のＯ２濃度及び温度を制御するシステムを設けると、触媒流入ガス４２のＯ２濃度が５％かつ温度が４００℃の状態から、Ｏ２濃度を２０％かつ温度を５００℃とすることができるため、表１から分かるようにＮＯｘ浄化率が４．９％から４９．８％に向上する。
【００８４】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００８５】
１  第一の触媒
２  第二の触媒
３  担体
４  基材
１１  排ガス浄化触媒
１２  エアフローセンサ
１３  過給機
１３ａ  コンプレッサ
１３ｂ  タービン
１４  インタークーラ
１５  吸気管
１６  電子制御スロットル
１７  吸気圧力センサ
１８  シリンダ
１９  インジェクタ
２０  ピストン
２１  点火プラグ
２２  バルブタイミング機構
２３  吸気バルブ
２４  排気バルブ
２５  ウェイストゲート弁
２６  空燃比センサ
２７  排気管
２８  ＥＣＵ
２９  アクセル開度センサ
３０  ＥＧＲ管
３１  ＥＧＲクーラ
３２  ＥＧＲ弁
３３  差圧センサ
３４  ＥＧＲ温度センサ
４１  燃焼後ガス
４２  触媒流入ガス
４３  Ｏ２濃度増加装置
【図１】
2018168752.tif 000008
【図２】
2018168752.tif 000009
【図３】
2018168752.tif 000010
【図４】
2018168752.tif 000011
【図５】
2018168752.tif 000012
【図６】
2018168752.tif 000013
【図７】
2018168752.tif 000014
【図８】
2018168752.tif 000015